(57)【要約】【課題】送受信された電子メールのうち、特定の電子メールアドレスと送受信された電子メールを秘匿性高く、かつ通信機器内の処理で管理することができる通信機器を提供する。【解決手段】電子メールの送受信を行う電子メール送受信手段と、電子メール送受信手段により送受信された電子メールに関する情報を表示する表示手段と、電子メールに関する情報を表示する際、予め設定された電子メールアドレスを送信元または送信先とする電子メールであるか否かを判定する判定手段と、予め設定された電子メールアドレスを送信元または送信先とする電子メールであると判定された場合、ダミーメールを生成する生成手段と、電子メールに関する情報に代えて、本来の情報と異なる情報で構成されたダミーメールに関する情報を表示手段に表示させる表示制御手段とを備えた。【選択図】  図５
2010165253.tif 000002
【特許請求の範囲】
【請求項１】
電子メールの送受信を行う電子メール送受信手段と、
前記電子メール送受信手段により送受信された前記電子メールに関する情報を表示する表示手段と、
前記電子メールに関する情報を前記表示手段に表示する際、予め設定された前記電子メールアドレスを送信元または送信先とする前記電子メールであるか否かを判定する判定手段と、
前記判定手段により、予め設定された前記電子メールアドレスを送信元または送信先とする前記電子メールであると判定された場合、本来の情報と異なる情報で構成されたダミーメールを生成する生成手段と、
前記電子メールに関する情報に代えて、前記生成手段により生成された前記ダミーメールに関する情報を前記表示手段に表示させる表示制御手段とを備えたことを特徴とする通信機器。
【請求項２】
前記電子メールに関する情報は、前記電子メールの送信元名または送信先名情報、タイトル情報および本文情報のうち少なくとも一の情報を含む請求項１に記載の通信機器。
【請求項３】
前記表示制御手段により前記ダミーメールに関する情報が表示された場合、前記ダミーメールに関する情報の表示を解除し、本来の前記電子メールに関する情報を表示させる解除手段をさらに備えた請求項１に記載の通信機器。
【請求項４】
前記解除手段は、
前記ダミーメールに関する情報を表示中に、前記ダミーメールを視認している操作者の顔の撮影を行い、顔認証用データの抽出を行う撮影手段と、
予め記憶された許可ユーザの顔認証用データと、前記撮影手段により抽出された前記顔認証用データとを照合し、前記許可ユーザと前記操作者とが一致するか否かを判定する許可ユーザ判定手段とを備え、
前記解除手段は、前記許可ユーザ判定手段により前記許可ユーザと前記操作者が一致すると判定された場合、前記ダミーメールに関する情報の表示を解除し、本来の前記電子メールに関する情報を表示させる請求項３に記載の通信機器。
【請求項５】
前記撮影手段は、前記操作者の顔の撮影をバックグラウンドで行う請求項４に記載の通信機器。
【請求項６】
前記判定手段は、前記電子メールに関する情報を一覧表示する指示を受け付けた時、および前記電子メールに関する情報を個別表示する指示を受け付けた時のうち少なくとも一のタイミングで、予め設定された前記電子メールアドレスを送信元または送信先とする前記電子メールであるか否かを判定する請求項１に記載の通信機器。
【請求項７】
前記生成手段は、前記電子メールアドレス毎に予め設定された送受信者名情報、タイトル情報、本文情報を含むダミー情報に基づき、ダミーメールを生成する請求項１に記載の通信機器。
【発明の詳細な説明】
【技術分野】
【０００１】
本発明は、通信機器に係り、特に、送受信された電子メールに関する情報をダミー表示する通信機器に関する。
【背景技術】
【０００２】
近年、携帯電話機などの通信機器は、セキュリティの向上やプライバシの保護を図るため、パスワードの入力、顔認証、指紋認証などの種々のセキュリティ機能が設けられるのが一般的となった（例えば、特許文献１参照。）。
【０００３】
電子メール機能を持つ通信機器においては、特定の電子メールアドレスからの電子メールの受信を悟られないように、電子メールの受信通知を行わない、真のユーザのみにわかる特殊な方法を用いて受信通知を行う、特定の電子メールアドレスからの電子メールを表示させない、などのいわゆるシークレットモード機能を備えたものが知られている。しかし、上述したシークレットモード機能は、電子メールの受信通知が真のユーザにとってもわかりにくいという課題があった。また、該当する電子メールを閲覧するためには、パスワード入力や顔認証などによっていわゆるシークレットモードをその都度解除しなければならないという課題があった。
【０００４】
これに対し、伝言者から受信者への伝言情報の登録を、伝言情報の内容を秘匿したままで通知する技術が知られている（例えば、特許文献２参照。）。この技術は、電子掲示板に伝言者から登録された伝言情報の内容の如何に関わらず、予め設定された内容の通知用メールを送信するものであった。受信者は都合のよい時間に伝言情報を参照できる点で有効である。
【先行技術文献】
【特許文献】
【０００５】
【特許文献１】特開２００７−３６３６５号公報
【特許文献２】特開２００４−２７２５０４号公報
【発明の概要】
【発明が解決しようとする課題】
【０００６】
特許文献２に開示された技術は、伝言情報が登録されると、伝言情報の内容に関わらず所定の通知用メールを送信するため、携帯端末の履歴には伝言者の情報や伝言本文を残すことなく伝言情報の登録を即時に認識することができた。しかし、受信者は、登録された伝言本文などを確認するためには、伝言登録専用電子メールボックスにアクセスする必要があった。また、通知用電子メールを作成するためには、インターネットなどの通信ネットワークを通じて通知用送信者メールアドレス、通知用電子メールタイトル、通知用メール本文などを作成して、登録する必要があった。すなわち、伝言本文などの確認、通知用電子メールの作成などを行う際には、その都度通信ネットワークを通じて行うため、携帯端末内でこれらの処理を完結させることができず、不便であった。
【０００７】
本発明はこのような事情を考慮してなされたもので、送受信された電子メールのうち、特定の電子メールアドレスと送受信された電子メールを秘匿性高く、かつ通信機器内の処理で管理することができる通信機器を提供することを目的とする。
【課題を解決するための手段】
【０００８】
本発明に係る通信機器は、上述した課題を解決するために、電子メールの送受信を行う電子メール送受信手段と、前記電子メール送受信手段により送受信された前記電子メールに関する情報を表示する表示手段と、前記電子メールに関する情報を前記表示手段に表示する際、予め設定された前記電子メールアドレスを送信元または送信先とする前記電子メールであるか否かを判定する判定手段と、前記判定手段により、予め設定された前記電子メールアドレスを送信元または送信先とする前記電子メールであると判定された場合、本来の情報と異なる情報で構成されたダミーメールを生成する生成手段と、前記電子メールに関する情報に代えて、前記生成手段により生成された前記ダミーメールに関する情報を前記表示手段に表示させる表示制御手段とを備えたことを特徴とする。
【発明の効果】
【０００９】
本発明に係る通信機器は、送受信された電子メールのうち、特定の電子メールアドレスと送受信された電子メールを秘匿性高く、かつ通信機器内の処理で管理することができる。
【図面の簡単な説明】
【００１０】
【図１】本発明に係る通信機器の一例である折り畳み式の携帯電話機の外観の構成を示す図。
【図２】本発明に係る通信機器の一例である折り畳み式の携帯電話機の他の外観の構成を示す図。
【図３】本実施形態における携帯電話機の内部の構成を示す図。
【図４】ダミー情報設定処理時のメインディスプレイの表示例を示す図。
【図５】電子メール受信時の受信通知処理を説明するフローチャート。
【図６】本実施形態における携帯電話機の制御部により実行される電子メール本文表示処理を説明するフローチャート。
【図７】本実施形態における携帯電話機の電子メール本文の表示例を示す図。
【図８】本実施形態における携帯電話機の制御部により実行される電子メール一覧表示処理を説明するフローチャート。
【図９】本実施形態における携帯電話機の受信メール一覧の表示例を示す図。
【図１０】本実施形態における携帯電話機の制御部により実行される許可ユーザ登録処理を説明するフローチャート。
【図１１】本実施形態における携帯電話機の制御部により実行されるダミー表示解除処理を説明するフローチャート。
【図１２】ダミー表示が一時解除された場合の電子メール本文の表示例を示す図。
【図１３】ダミー表示が一時解除された場合の受信メール一覧の表示例を示す図。
【図１４】本実施形態における携帯電話機の制御部により実行されるダミー表示解除時処理を説明するフローチャート。
【図１５】本実施形態における携帯電話機により実行される電子メール機能終了処理を説明するフローチャート。
【発明を実施するための形態】
【００１１】
本発明に係る通信機器の実施形態を添付図面に基づいて説明する。
【００１２】
図１は、本発明に係る通信機器の一例である折り畳み式の携帯電話機１の外観の構成を示す図である。図１（Ａ）は、携帯電話機１を約１８０度に開いた開状態のときの正面から見た外観の構成を示し、図１（Ｂ）は、携帯電話機１を開状態としたときの側面から見た外観の構成を示す。
【００１３】
図１（Ａ）および（Ｂ）に示されるように、携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１４】
第一の筐体１２には、その表面に操作キー１４が設けられる。操作キー１４は、特に、「０」から「９」の数字や「あ」行から「わ」行のかな、「Ａ」から「Ｚ」のアルファベットの入力が可能な数字キー１５や、上下左右方向キーを備えた十字キー１６、確定キー１７、左ソフトキー２０、右ソフトキー２１、メールキー１８などで構成される。
【００１５】
十字キー１６は、上下左右方向に操作されることによりメインディスプレイ２３に表示されたカーソルなどを上下左右方向に移動させることができる。また、確定キー１７が押下されることにより、種々の処理の確定処理が実行される。確定キー１７には、メインディスプレイ２３の下部に設けられた確定キー機能表示部２３ａに表示される処理も割り当てられる。
【００１６】
さらに、第一の筐体１２の十字キー１６および確定キー１７の上部には、左ソフトキー２０および右ソフトキー２１が設けられる。第一の筐体１２の側面には、携帯電話機１の操作を行うサイドキー２２が設けられる。左ソフトキー２０、右ソフトキー２１およびサイドキー２２は、第一の筐体１２の内部方向に押下されることによって、それぞれ所定の処理が割り当てられている。特に左ソフトキー２０および右ソフトキー２１は、メインディスプレイ２３の下部に設けられた左ソフトキー機能表示部２３ｂおよび右ソフトキー機能表示部２３ｃに表示される処理が割り当てられる。メールキー１８は、電子メール機能を利用する際のメニュー画面を表示する処理が割り当てられたキーである。ユーザは、電子メール機能を利用する際、まずこのメールキー１８を押下し、メニュー画面を開く操作を行う。
【００１７】
第一の筐体１２には、操作キー１４の下部にマイクロフォン２４が設けられており、マイクロフォン２４によって通話時のユーザの音声を集音する。
【００１８】
なお、第一の筐体１２は、背面側に図示しないバッテリパックが挿着されており、終話・電源キーが押下されてオン状態になると、バッテリパックから各回路部に対して電力が供給されて動作可能な状態に起動する。
【００１９】
一方、第二の筐体１３には、その大部分の面積を占めるメインディスプレイ２３が設けられており、電波の受信状態、電池残量の他、電子メールの内容、簡易ホームページなどを表示することができる。なお、メインディスプレイ２３は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイにより構成されるディスプレイである。メインディスプレイ２３は、表示手段として機能する。
【００２０】
第二の筐体１３のメインディスプレイ２３の上部の所定の位置にはレシーバ（受話器）２５が設けられており、これにより、ユーザは音声通話することが可能である。なお、携帯電話機１の所定の位置には、レシーバ２５以外の音声出力部としてのスピーカ（図示せず）も設けられている。さらに、第二の筐体１３のレシーバ２５上部には、内部ＣＣＤカメラ２６が設けられており、これにより、所望の撮影対象を撮影することができる。
【００２１】
図２は、本発明に係る通信機器の一例である折り畳み式の携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示し、図２（Ｂ）は、携帯電話機１が閉状態のときの側面から見た外観の構成を示す。
【００２２】
第二の筐体１３の上部には、外部ＣＣＤカメラ２７が設けられており、これにより、所望の撮影対象を撮影することができる。本実施形態における内部ＣＣＤカメラ２６および外部ＣＣＤカメラ２７は、撮影手段として機能する。外部ＣＣＤカメラ２７の下部には、例えばＬＣＤで構成されるサブディスプレイ２８が設けられており、現在のアンテナの感度のレベルを示すアンテナピクト、携帯電話機１の現在の電池残量を示す電池ピクト、現在の時刻などが表示される。
【００２３】
また、携帯電話機１には、図示しない指紋認証センサ（図３の指紋認証センサ４８）が設けられる。指紋認証センサは、第一の筐体１２または第二の筐体１３の表面のいずれの位置に設けられてもよい。
【００２４】
図３は、本実施形態における携帯電話機１の内部の構成を示す図である。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２５】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２６】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２７】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ２５により出力される。
【００２８】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ２３に表示させる。なお、制御部４１は、受信された動画像データだけでなく、ＣＣＤカメラ２６、２７（内部ＣＣＤカメラ２６、外部ＣＣＤカメラ２７）により撮像された動画像データに関しても、図示せぬビデオＲＡＭを介してメインディスプレイ２３に表示させることも可能である。
【００２９】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ２３に表示させる。
【００３０】
一方、通話モードにおいて、マイクロフォン２４に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２６、２７から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３１】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３２】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。また、携帯電話機１には、現在の正確な時刻や所定の時間を測定する時計回路４５が設けられている。
【００３３】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。また、制御部４１はビデオＲＡＭも備え、メインディスプレイ２３に表示される映像に関する情報が一時的に格納される。
【００３４】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３５】
指紋認証センサ４８は、指紋認証データを抽出し、制御部４１に供給する。記憶部４２には、予め許可ユーザの指紋認証データが記憶されている。制御部４１は、指紋認証センサ４８より供給された指紋認証データと、予め記憶された許可ユーザの指紋認証データとを照合し、照合結果に応じて携帯電話機１の使用の許可／禁止を設定する。
【００３６】
本実施形態における携帯電話機１は、電子メールの送受信機能を備えている。送受信を行った電子メールは、メインディスプレイ２３を介して閲覧されるようになっている。携帯電話機１は、送受信した電子メールを閲覧する際に、表示される電子メールが特定の相手（電子メールアドレス）と送受信された電子メールであった場合に、その電子メールを、携帯電話機１内で生成された擬似的なダミーメールに代えて表示するダミー表示機能を有する。このため、携帯電話機１は、特定の相手（電子メールアドレス）と送受信された電子メールについては、ダミーメールに関する情報を表示し、本来の電子メールに関する情報が閲覧されないように構成されている。
【００３７】
また、携帯電話機１は、ダミーメールに対応する本来の電子メールを閲覧することができる許可ユーザか否かをバックグラウンドで認証し、許可ユーザに対しては本来の電子メールを切り替えて示すダミー表示解除機能を有する。以下、携帯電話機１の動作を具体的に説明する。
【００３８】
携帯電話機１の制御部４１は、本来の電子メールに代えてダミーメールを表示させる処理に先立ち、ダミーメールを表示させる電子メールアドレスを設定するアドレス属性設定処理を実行する。アドレス属性設定処理においては、ユーザが他者に対して秘匿性を保ちたいと所望する特定の相手の電子メールアドレスが、ダミーメールを表示させる電子メールアドレス（以下、シークレットアドレスという。）としてユーザ任意に設定される。制御部４１は、設定されたシークレットアドレスを、記憶部４２などの記憶領域に記憶するようになっている。
【００３９】
アドレス属性設定処理は、例えば携帯電話機１に設けられた電話帳機能に登録されている電子メールアドレスに対して設けられたサブメニューの中から、シークレットアドレス属性の情報を付加することにより、実行可能に構成することができる。また、アドレス属性設定処理は、メニュー画面にシークレットアドレスを設定する項目を設けておき、任意の電子メールアドレスを入力することにより実行可能に構成することができる。以上で、電子メールアドレス属性設定処理の説明を終了する。
【００４０】
次に、携帯電話機１においては、ダミーメールとして本来の電子メールに代えて表示されるダミー情報を設定するダミー情報設定処理を実行する。ダミー情報設定処理は、例えば、アドレス属性設定処理の実行後に実行可能に構成することができる。
【００４１】
図４は、ダミー情報設定処理時のメインディスプレイ２３の表示例を示す図である。ダミー情報は、シークレットアドレス毎に予め設定される情報である。ダミー情報には、ダミー送信者名情報、ダミータイトル情報、ダミー本文情報が含まれる。
【００４２】
シークレットアドレス情報項目５１には、シークレットアドレス属性が付加された電子メールアドレス（例えば「ａａａ＠ｂｂｂ．ｃｃ．ｄｄ」）およびその送信者名（例えば「Ａさん」）が表示される。このシークレットアドレス情報項目５１には、シークレットアドレス属性が付加された電子メールアドレスとその送信者名が予め表示、または入力可能になっている。
【００４３】
ダミー送信者名入力項目５２、ダミータイトル入力項目５３、ダミー本文入力項目５４には、それぞれ任意のダミー送信者名（例えば「Ｂ係長」）、ダミータイトル、ダミー本文（例えば「確認です。・・・連絡下さい。」）に関する情報が入力可能となっている。
【００４４】
また、ダミー送信者名入力項目５２、ダミータイトル入力項目５３、ダミー本文入力項目５４には、さらに「自動」項目または「手動」項目が選択可能な自動／手動選択項目５５が設けられている。制御部４１は、「手動」の項目が選択されたダミー情報については、ユーザにより各入力項目５２、５３、５４に入力されたダミー情報を用いて、ダミーメールを生成する。
【００４５】
一方、制御部４１は、ダミー送信者名情報に対して「自動」の項目が選択された場合、例えばランダムな文字列と予め記憶部４２などに記憶された事業者ドメインの組み合わせにより、ダミー送信者名情報としての電子メールアドレスを生成する。また、制御部４１は、ダミータイトル情報、ダミー本文情報に対して「自動」の項目が選択された場合、例えば予め記憶部４２などに記憶されたテンプレートの組み合わせなどにより、ダミータイトル情報、ダミー本文情報を自動的に生成する。制御部４１は、自動生成を行う場合、電子メールの受信時間や季節に応じたテンプレートを予め記憶部４２などに記憶しておき、ダミータイトル情報、ダミー本文情報を自動的に生成するのが好ましい。
【００４６】
制御部４１は、各入力項目５２、５３、５４に入力された各ダミー情報、および各ダミー情報に対する自動／手動選択項目で選択された情報を、記憶部４２などの記憶領域に記憶するようになっている。
【００４７】
なお、ダミー情報はアドレス属性設定処理において設定されたシークレットアドレスに対して、一括して設定できるように構成してもよい。以上で、ダミー情報設定処理の説明を終了する。
【００４８】
なお、アドレス属性設定処理において設定されたシークレットアドレスは、電子メール受信時における送信元の電子メールアドレスのみならず、ユーザによる電子メール送信時における送信先の電子メールアドレスについても適用される。
【００４９】
次に、上述したアドレス属性設定処理を踏まえたうえで実行される、電子メール受信時の受信通知処理、電子メール本文表示処理、電子メール一覧表示処理を説明する。
【００５０】
図５は、電子メール受信時の受信通知処理を説明するフローチャートである。
【００５１】
ステップＳ１において、制御部４１は図示しない電子メールサーバより電子メールを受信する。ステップＳ２において、制御部４１は、受信した電子メールの送信元の電子メールアドレスが、アドレス属性設定処理においてシークレットアドレスとして設定されているか否かの判定を行う。制御部４１は、送信元の電子メールアドレスがシークレットアドレスとして設定されていないと判定した場合、ステップＳ３において、通常の電子メール受信時の受信通知を行い、電子メール受信時の受信通知処理を終了する。
【００５２】
電子メール受信時の受信通知は、例えば送信者名、タイトルなどの受信した電子メールの概要をメインディスプレイ２３やサブディスプレイ２８に表示したり、受信した電子メールがある旨を示す受信メールアイコンやピクトをメインディスプレイ２３やサブディスプレイ２８に表示したり、着信音の報知やバイブレータの振動で受信を通知するなどの方法で行われる。
【００５３】
制御部４１は、送信元の電子メールアドレスがシークレットアドレスとして設定されていると判定した場合、ステップＳ４において、ダミー情報設定処理において設定されたダミー送信者名情報の生成が「自動」生成に設定されているか否かの判定を行う。制御部４１は、「自動」生成に設定されていると判定した場合、ステップＳ５において、ダミー送信者名情報としての電子メールアドレスを生成する。一方、制御部４１は、「手動」生成に設定されていると判定した場合、ステップＳ６において、ダミー情報設定処理において設定されたダミー送信者名情報を取得する。
【００５４】
ステップＳ７において、制御部４１は、ダミー情報設定処理において設定されたダミータイトル情報の生成が「自動」生成に設定されているか否かの判定を行う。制御部４１は、「自動」生成に設定されていると判定した場合、ステップＳ８において、ダミータイトル情報を生成する。一方、制御部４１は、「手動」生成に設定されていると判定した場合、ステップＳ９において、ダミー情報設定処理において設定されたダミータイトル情報を取得する。
【００５５】
ステップＳ１０において、制御部４１は、ダミー情報設定処理において設定されたダミー本文情報の生成が「自動」生成に設定されているか否かの判定を行う。制御部４１は、「自動」生成に設定されていると判定した場合、ステップＳ１１において、ダミー本文情報を生成する。一方、制御部４１は、「手動」生成に設定されていると判定した場合、ステップＳ１２において、ダミー情報設定処理において設定されたダミー本文情報を取得する。
【００５６】
ステップＳ１３において、制御部４１は、生成および取得した各ダミー情報に基づき、ダミーメールを生成する。制御部４１は、このダミーメールに基づき電子メールの受信通知を行う。制御部４１は、例えばメインディスプレイ２３やサブディスプレイ２８に受信した電子メールに関する情報（概要）を表示する際に、本来の送信者名、タイトルなどに代えて、ダミー送信者名、ダミータイトルを表示する。制御部４１は、受信メールアイコン、着信音、バイブレータなどの動作は、通常の電子メール受信時の受信通知処理と同様に行う。
【００５７】
なお、電子メール受信時において、電子メールの送信者名やタイトルなどの電子メールの内容を通知することなく、受信メールアイコンや着信音やバイブレータのみを用いた受信通知を行う場合には、本処理を省略してもよい。以上で、電子メール受信時の受信通知処理の説明を終了する。
【００５８】
次に、本実施形態における携帯電話機１において実行される電子メール本文表示処理について説明する。この電子メール本文表示処理は、電子メール受信後にメインディスプレイ２３に表示された受信された電子メールがある旨を示す受信メールアイコンを選択するなど、電子メール本文を開く指示を受け付けた場合に実行される。
【００５９】
図６は、本実施形態における携帯電話機１の制御部４１により実行される電子メール本文表示処理を説明するフローチャートである。
【００６０】
ステップＳ２１において、制御部４１は、一の電子メールの本文を表示する指示を受け付ける。なお、電子メール本文を表示する指示は、一の電子メールの本文を表示する指示に限らず、複数の電子メール本文を表示する指示を受け付け可能に構成してもよい。
【００６１】
ステップＳ２２において、制御部４１は、指示を受け付けた電子メールの送信元の電子メールアドレスが、アドレス属性設定処理においてシークレットアドレスとして設定されているか否かの判定を行う。制御部４１は、指示を受け付けた電子メールの送信元の電子メールアドレスが、シークレットアドレスとして設定されていないと判定した場合、ステップＳ２３において、通常の電子メールの本文表示を行い、電子メール本文表示処理を終了する。
【００６２】
一方、制御部４１は、指示を受け付けた電子メールの送信元の電子メールアドレスがシークレットアドレスとして設定されていると判定した場合、ステップＳ２４において、ダミー情報設定処理において設定されたダミー送信者名情報の生成が「自動」生成に設定されているか否かの判定を行う。この自動生成判定ステップＳ２４〜ダミー本文取得ステップＳ３２については、図５の電子メール受信時の受信通知処理の自動生成判定ステップＳ４〜ダミー本文取得ステップＳ１２と略同様の処理であるため、詳細な説明は省略する。
【００６３】
ステップＳ３３において、制御部４１は、生成および取得した各ダミー情報に基づき、ダミーメールを生成する。制御部４１は、このダミーメールに基づき電子メールの本文などの表示を行う。制御部４１は、ダミーメールの表示を行った後、電子メール本文表示処理を終了する。
【００６４】
図７は、本実施形態における携帯電話機１の電子メール本文の表示例を示す図である。図７（Ａ）は、通常の電子メール本文の表示例である。図７（Ｂ）は、ダミー情報設定処理において設定されたダミー情報に基づいて生成されたダミーメール本文の表示例である。
【００６５】
図７（Ａ）に示す電子メールは、Ａさんから受信した本来の電子メールの送信者名、タイトル、本文が表示されている。これに対し図７（Ｂ）には、Ａさんの電子メールアドレス（ａａａ＠ｂｂｂ．ｃｃ．ｄｄ）がシークレットアドレスとして設定されていたため、Ａさんから受信した電子メールに代えて、ダミーメールの送信者名、タイトル、本文が表示されている。
【００６６】
例えば、シークレットアドレスとして設定されたＡさんの電子メールアドレス（ａａａ＠ｂｂｂ．ｃｃ．ｄｄ）から受信した電子メールに対して生成されるダミー情報は、ダミー送信者名情報が手動生成である「Ｂ係長」、ダミータイトル情報が自動生成、ダミー本文が手動生成である「確認です。・・・連絡下さい。」と予め設定されている場合を適用して説明する。
【００６７】
ダミー送信者名情報は「Ｂ係長」と設定されていたため、送信者情報（Ｆｒｏｍ：）は、「Ａさん」から「Ｂ係長」に代えて表示されている。ダミータイトル情報は自動生成するように設定されていたため、タイトル（Ｔｉｔｌｅ：）は、「週末の件」から、電子メールの受信時間や季節に応じて自動生成された「こんにちは」に代えて表示されている。ダミー本文情報は「確認です。・・・連絡下さい。」と設定されていたため、電子メールの本文は、「今週末はどこに行きますか？」から「確認です。・・・連絡下さい。」に代えて表示されている。以上で、電子メール本文表示処理の説明を終了する。
【００６８】
次に、本実施形態における携帯電話機１において実行される電子メール一覧表示処理について説明する。この電子メール一覧表示処理は、電子メール受信後にメールメニュー画面などを介して送受信された電子メールを一覧表示させる指示を受け付けた場合に実行される。送受信された電子メールが一覧表示される際には、電子メールの送信者名（送信者の電子メールアドレス）または受信者名（受信者の電子メールアドレス）、受信（送信）日時、タイトルなど電子メールに関する情報のうち少なくとも一が、電子メールの概要として表示される。また、電子メール一覧表示時においては、所定数の電子メールの概要が表示される。
【００６９】
図８は、本実施形態における携帯電話機１の制御部４１により実行される電子メール一覧表示処理を説明するフローチャートである。以下の説明においては、受信メール一覧を表示する指示を受け付けた場合に適用して説明する。なお、電子メール一覧表示処理は、送信メール一覧を表示する処理についても適用可能である。
【００７０】
ステップＳ４１において、制御部４１は、受信メール一覧を表示する指示を受け付ける。ステップＳ４２において、制御部４１は、受信メール一覧に概要が表示される一の電子メールに関する情報を読み出す。制御部４１は、電子メールに関する情報を読み出す際、未表示の電子メールのうち、先頭位置に表示される電子メールを読み出す。
【００７１】
ステップＳ４３において、電子メールの送信元の電子メールアドレスが、アドレス属性設定処理においてシークレットアドレスとして設定されているか否かの判定を行う。制御部４１は、電子メールの送信元の電子メールアドレスが、シークレットアドレスとして設定されていないと判定した場合、ステップＳ４４において、通常の受信メールの概要の表示を行い、処理は表示判定処理ステップＳ５５に進む。
【００７２】
一方、制御部４１は、電子メールの送信元の電子メールアドレスがシークレットアドレスとして設定されていると判定した場合、ステップＳ４５において、ダミー情報設定処理において設定されたダミー送信者名情報の生成が「自動」生成に設定されているか否かの判定を行う。この自動生成判定ステップＳ４５〜ダミー本文取得ステップＳ５３については、図５の電子メール受信時の受信通知処理の自動生成判定ステップＳ４〜ダミー本文取得ステップＳ１２と略同様の処理であるため、詳細な説明は省略する。
【００７３】
ステップＳ５４において、制御部４１は、生成および取得した各ダミー情報に基づき、ダミーメールを生成する。制御部４１は、このダミーメールに基づき電子メールの概要の表示を行う。ステップＳ５５において、制御部４１は、受信メール一覧には所定数の電子メールの概要が表示されたか否かの判定を行う。制御部４１は、未だ所定数の電子メールの概要が表示されていないと判定した場合、メール読出ステップＳ４２に戻り、受信メール一覧に所定数の電子メールの概要が表示されるまでステップＳ４２〜Ｓ５４の処理を繰り返す。一方、制御部４１は、所定数の電子メールの概略の表示が終了したと判定した場合、電子メール一覧表示処理は終了する。
【００７４】
図９は、本実施形態における携帯電話機１の受信メール一覧の表示例を示す図である。図９（Ａ）は、通常の受信メール一覧の表示例である。図９（Ｂ）は、ダミー情報設定処理において設定されたダミー情報に基づいて生成されたダミーメールを含む受信メール一覧の表示例である。図９に示す受信メール一覧表示画面では、受信した電子メールの送信者名または送信元電子メールアドレスが電子メールの概要として表示される送信者名一覧表示領域６１が設けられる。送信者名一覧表示領域６１には、所定数である例えば８件の送信者名または送信元電子メールアドレスが電子メールの概要として表示されている。また、受信メール一覧表示画面には、現在カーソル６３によりフォーカスが当てられている電子メールの受信日時、タイトルが表示される受信日時・タイトル表示領域６２が設けられる。
【００７５】
例えば、シークレットアドレスとして設定されたＡさんの電子メールアドレス（ａａａ＠ｂｂｂ．ｃｃ．ｄｄ）から受信した電子メールに対して生成されるダミー情報は、ダミー送信者名情報が手動生成である「Ｂ係長」、ダミータイトル情報が自動生成、ダミー本文が手動生成である「確認です。・・・連絡下さい。」と予め設定されている場合を適用して説明する。
【００７６】
図９（Ａ）に示す送信者名一覧表示領域６１では、受信した電子メールが、送信者名「Ａさん」として通常通りに表示された例が示されている。これに対し図９（Ｂ）では、Ａさんから受信した電子メールの電子メールアドレスがシークレットアドレスとして設定されていたため、Ａさんから受信した電子メールに代えて、ダミーメールに基づく送信者名「Ｂ係長」が表示されている。また、受信日時・タイトル表示領域６２においては、ダミータイトル情報は、自動生成するように設定されていたため、タイトルは「週末の件」から、電子メールの受信時間や季節に応じて自動生成された「こんにちは」に代えて表示されている。
【００７７】
なお、電子メール一覧表示処理においては、ダミー送信者名情報、ダミータイトル情報、ダミー本文情報に基づきダミーメールを生成したが、電子メール一覧表示画面において表示の必要がないダミー情報、例えばダミー本文情報を生成する処理は省略してもよい。
【００７８】
以上で、電子メール一覧表示処理の説明を終了する。
【００７９】
この携帯電話機１によれば、送受信した電子メールの電子メールアドレスがシークレットアドレスであるか否かに応じて、携帯電話機１内でダミーメールを作成し、本来の電子メールに代えて表示することができる。また、シークレットアドレスとして設定された送信元から受信した電子メールについては、ダミー情報を設定した携帯電話機１のユーザのみにわかるようになっている。このため、他人に見られたくない電子メールであっても、外見上は通常の電子メールと同様に振舞うことができ、効果的に電子メールを隠すことができる。また、受信時においては、通常の電子メールと同様に受信処理を行うため、シークレットアドレスとして設定された電子メールを受信した旨を他人に知られることもない。
【００８０】
次に、本来の電子メールに代えて、ダミーメールが表示された後に実行される、ダミー表示解除方法について説明する。
【００８１】
携帯電話機１は、ダミー表示解除処理に先立ち、予め許可ユーザ登録処理を行う。許可ユーザは、携帯電話機１の所有者であって携帯電話機１の真のユーザである。なお、携帯電話機１の真のユーザにより許可された者などを許可ユーザとして含めてもよい。
【００８２】
図１０は、本実施形態における携帯電話機１の制御部４１により実行される許可ユーザ登録処理を説明するフローチャートである。
【００８３】
ステップＳ６１において、制御部４１は、指紋認証センサ４８を用いた指紋認証データが、登録されているか否かの判定を行う。指紋認証データが登録されている場合には、許可ユーザ登録処理を実行しようとしている操作者が、携帯電話機１の真のユーザであるか否かを指紋認証機能を用いて判断することができるためである。
【００８４】
制御部４１は、指紋認証データが登録されていると判定した場合、ステップＳ６２において、指紋認証センサ４８を起動する。制御部４１は、指紋認証センサ４８から指紋認証データを抽出する。制御部４１は、抽出した指紋認証データと予め携帯電話機１に記憶された指紋認証データとを照合し、一致するか否かの判定を行う。ステップＳ６３において、制御部４１は、取得した指紋認証データと予め記憶された指紋認証データが一致し、指紋認証に成功したか否かの判定を行う。制御部４１は、指紋認証に成功し、操作者が携帯電話機１の真のユーザであることを認証した場合、ステップＳ６４において、指紋認証センサ４８を停止し、処理はカメラ起動ステップＳ６８に進む。
【００８５】
一方、制御部４１は、指紋認証に失敗したと判定した場合、ステップＳ６５において、指紋認証センサ４８を停止する。制御部４１は、指紋認証データ登録判定ステップＳ６１で指紋認証データの登録がないと判定した場合、および指紋認証判定ステップＳ６５において指紋認証に失敗し、指紋認証センサ４８を停止した場合、ステップＳ６６において、携帯電話機１の真のユーザであることを照合するためのパスワードが携帯電話機１に登録されているか否かの判定を行う。パスワードが登録されている場合には、許可ユーザ登録処理を実行しようとしている操作者が、携帯電話機１の真のユーザであるか否かをパスワード入力機能を用いて判断することができるためである。制御部４１は、パスワードが登録されていると判定した場合、ステップＳ６７において、操作キー１４を介してパスワードの入力を受け付ける。制御部４１は、入力を受け付けたパスワードと予め登録されたパスワードとを照合し、一致するか否かの判定を行う。ステップＳ６７において、制御部４１は、パスワード認証に成功し、操作者が携帯電話機１の真のユーザであることを認証した場合、カメラ起動ステップＳ６８に進む。制御部４１は、パスワード登録判定ステップＳ６６でパスワードの登録がないと判定した場合、およびパスワード認証ステップＳ６７においてパスワードの認証に失敗したと判定した場合、許可ユーザ登録処理を終了する。制御部４１は、許可ユーザ登録処理を実行する操作者が携帯電話機１の真のユーザであることが認証できないため、真のユーザ以外により許可ユーザ登録処理が実行されることを防止するためである。
【００８６】
ステップＳ６８において、制御部４１は、内部ＣＣＤカメラ２６を起動する。ステップＳ６９において、制御部４１は、内部ＣＣＤカメラ２６で、操作者の顔の撮影を行う。ステップＳ７０において、制御部４１は、許可ユーザであることを認証するための顔認証用のデータの抽出に成功したか否かの判定を行う。制御部４１は、顔認証用のデータの抽出に失敗したと判定した場合、撮影ステップＳ６９に戻り、再度操作者の顔の撮影を行う、制御部４１は、顔認証用のデータの抽出に成功したと判定した場合、ステップＳ７１において、顔認証用データの登録を行う。制御部４１は、記憶部４２などの記憶領域に顔認証用データを記憶することにより、ダミー表示を解除することができる許可ユーザの登録を行う。
【００８７】
ステップＳ７２において、制御部４１は、内部ＣＣＤカメラ２６を停止する。以上で、許可ユーザ登録処理は終了する。
【００８８】
なお、操作者の顔の撮影を内部ＣＣＤカメラ２６を用いて行ったが、外部ＣＣＤカメラ２７を用いて行ってもよい。以上で、許可ユーザ登録処理の説明を終了する。
【００８９】
次に、図６の電子メール本文表示処理および図８の電子メール一覧表示処理において、電子メールに対して実行されたダミー表示を解除するダミー表示解除処理について説明する。
【００９０】
図１１は、本実施形態における携帯電話機１の制御部４１により実行されるダミー表示解除処理を説明するフローチャートである。このダミー表示解除処理は、図６の電子メール本文表示処理および図８の電子メール一覧表示処理が実行された後に開始される。このダミー表示解除処理は、バックグラウンドで実行されるため、実行中におけるメインディスプレイ２３には電子メール本文および電子メール一覧が表示された状態である。このため、メインディスプレイ２３上では、ダミー表示解除処理が実行されていることがわからないようになっている。
【００９１】
ステップＳ８１において、制御部４１は、現在表示された電子メール本文および電子メール一覧中に、ダミー表示されたダミーメールの有無を判定する。制御部４１は、現在表示されている電子メール本文がダミーメールでない場合、および電子メール一覧にダミーメールが含まれていない場合、ダミー表示解除処理を終了する。
【００９２】
一方、制御部４１は、ステップＳ８２において、許可ユーザが登録されているか否かの判定を行う。制御部４１は、許可ユーザの登録がないと判定した場合、ステップＳ８３において、ダミー表示を継続し、ダミー表示解除処理を終了する。制御部４１は、許可ユーザの登録があると判定した場合、ステップＳ８４において、内部ＣＣＤカメラ２６が起動中であるか否かの判定を行う。制御部４１は、内部ＣＣＤカメラ２６が起動していないと判定した場合、ステップＳ８５において、内部ＣＣＤカメラ２６を起動する。
【００９３】
ステップＳ８６において、制御部４１は、起動中の内部ＣＣＤカメラ２６により、携帯電話機１の操作者の顔を撮影する。制御部４１は、撮影を行う際、メインディスプレイ２３上では撮影中である旨の表示は行わず、また撮影音を出力せずバックグラウンドで撮影を行う。内部ＣＣＤカメラ２６は、メインディスプレイ２３と対面し、メインディスプレイ２３に表示されたダミーメールを視認している携帯電話機１の操作者が自然に撮影される位置に配置されるのが好ましい。例えば、第二の筐体１３の内側表面であって、メインディスプレイ２３の上部や下部など配置されるのが好ましい。
【００９４】
ステップＳ８７において、制御部４１は、撮影により顔認証用データの抽出に成功したか否かの判定を行う。制御部４１は、顔認証用データの抽出に失敗した場合、撮影ステップＳ８６に戻り、再度操作者の顔画像の撮影を行う。制御部４１は、顔認証用データの抽出に成功した場合、ステップＳ８８において、抽出された顔認証用データと図１０の許可ユーザ登録処理において記憶部４２などに記憶された顔認証用データとの照合を行う。また、制御部４１は、照合により、携帯電話機１の操作者が許可ユーザと一致するか否かの判定を行う。制御部４１は、携帯電話機１の操作者が許可ユーザと不一致であると判定した場合、撮影ステップＳ８６に戻り、再度撮影を行う。
【００９５】
一方、制御部４１は、携帯電話機１の操作者が許可ユーザと一致すると判定した場合、ステップＳ８９において、ダミー表示を一時解除し、本来の電子メールの内容に基づく電子メール本文の表示または電子メール一覧の表示を行う。その後、処理はダミー表示解除時処理へ移行する。
【００９６】
図１２は、ダミー表示が一時解除された場合の電子メール本文の表示例を示す図である。制御部４１は、電子メール本文表示処理実行後には、図１２（Ａ）に示すダミーメールに基づく電子メール本文表示を行っている。ここで制御部４１は、携帯電話機１の操作者が許可ユーザであると認識すると、図１２（Ｂ）に示すように、ダミー表示を一時解除し、本来の電子メールの内容に基づく電子メール本文を表示する。すなわち、送信者名（Ｆｒｏｍ）に表示された送信者名「Ｂ係長」が、本来の電子メールの送信者名「Ａさん」と表示される。また、タイトル（Ｔｉｔｌｅ：）に表示されたタイトル「こんにちは」が、本来の電子メールのタイトル「週末の件」と表示される。さらに、電子メール本文として表示された「確認です。・・・連絡下さい。」が、本来の電子メールの本文「今週末はどこに行きますか？」と表示される。
【００９７】
図１３は、ダミー表示が一時解除された場合の受信メール一覧の表示例を示す図である。制御部４１は、電子メール一覧表示処理実行後には、図１３（Ａ）に示すダミーメールに基づく受信メール一覧表示を行っている。ここで制御部４１は、携帯電話機１の操作者が許可ユーザであると認識すると、図１３（Ｂ）に示すように、ダミー表示を一時解除し、本来の電子メールの内容に基づく受信メール一覧を表示する。すなわち、送信者名一覧表示領域６１に表示された送信者名「Ｂ係長」が、本来の電子メールの送信者名「Ａさん」と表示される。また、受信日時・タイトル表示領域６２に表示されたタイトル「こんにちは」が、本来の電子メールのタイトル「週末の件」と表示される。
【００９８】
なお、携帯電話機１は、電子メール一覧表示画面から、一または複数の電子メールがカーソル６３を用いて選択されることにより、選択された電子メールの本文が表示されるように構成されている。制御部４１は、電子メール一覧表示時に携帯電話機１の操作者が許可ユーザと一致していれば、電子メール一覧表示画面から電子メールの本文を表示する画面に移行した場合に、改めてダミー表示解除処理を行うことなく、本来の電子メールの本文を表示するようにしてもよい。以上で、ダミー表示解除処理の説明を終了する。
【００９９】
次に、ダミー表示解除時処理について説明する。このダミー表示解除時処理は、図１１のダミー表示解除処理においてダミー表示が一時解除された後に開始される。
【０１００】
図１４は、本実施形態における携帯電話機１の制御部４１により実行されるダミー表示解除時処理を説明するフローチャートである。
【０１０１】
ステップＳ９１において、制御部４１は、内部ＣＣＤカメラ２６が起動中であるか否かの判定を行う。ダミー表示解除時処理のカメラ起動判定ステップＳ９１〜許可ユーザ判定ステップＳ９５は、図１１のダミー表示解除処理のカメラ起動判定ステップＳ８４〜許可ユーザ判定ステップＳ８８と略同様の処理であるため、説明を省略する。
【０１０２】
制御部４１は、許可ユーザ判定ステップＳ９５において、携帯電話機１の操作者が許可ユーザと一致すると判定した場合、撮影ステップＳ９３に戻る。このとき、電子メールの本文または電子メール一覧のダミー表示の解除は維持された状態である。制御部４１は、再度許可ユーザ判定ステップＳ９５で携帯電話機１の操作者が許可ユーザと不一致であると判定するまで、撮影ステップＳ９３〜許可ユーザ判定ステップＳ９５を繰り返す。また、メインディスプレイ２３は、図１２（Ｂ）および図１３（Ｂ）のようにダミー表示が解除された状態が維持される。撮影ステップＳ９３〜許可ユーザ判定ステップＳ９５は、連続して繰り返されてもよいし、一定時間毎（例えば３０秒毎）に繰り返されてもよい。
【０１０３】
制御部４１は、許可ユーザ判定ステップＳ９５において、携帯電話機１の操作者が許可ユーザと不一致であると判定した場合、ステップＳ９６において、ダミー表示が解除された電子メールの本文および電子メール一覧を、再びダミー表示に戻す。例えば、図１２（Ｂ）および図１３（Ｂ）のダミー表示が解除された状態から、図１２（Ａ）および図１３（Ａ）の電子メールがダミー表示された状態に戻る。制御部４１は、ダミー表示ステップＳ９６においてダミー表示を行った後は、図１１のダミー表示解除処理に移行する。以上で、ダミー表示解除時処理の説明を終了する。
【０１０４】
次に、電子メール機能を終了する場合に実行される電子メール機能終了処理について説明する。
【０１０５】
図１５は、本実施形態における携帯電話機１により実行される電子メール機能終了処理を説明するフローチャートである。
【０１０６】
ステップＳ１０１において、制御部４１は、電子メール機能を終了する指示を受け付ける。  ステップＳ１０２において、制御部４１は、ダミー表示解除処理またはダミー表示解除時処理における許可ユーザと一致するか否かの判定を行う処理である許可ユーザ判定処理（図１１のステップＳ８８、図１４のステップＳ９５）が実行中であるか否かの判定を行う。制御部４１は、許可ユーザ判定処理が実行中であると判定した場合、ステップＳ１０３において、許可ユーザと一致するか否かの判定処理を終了させる。
【０１０７】
許可ユーザ判定処理が終了した後、ステップＳ１０４において、制御部４１は、内部ＣＣＤカメラ２６が起動中であるか否かの判定を行う。制御部４１は、内部ＣＣＤカメラ２６が起動中であると判定した場合、ステップＳ１０５において、内部ＣＣＤカメラ２６を停止させる。
【０１０８】
ＣＣＤカメラが停止した後、ステップＳ１０６において、制御部４１は、電子メール機能を終了させる。以上で電子メール機能終了処理の説明を終了する。
【０１０９】
この携帯電話機１によれば、ダミー表示から、本来の電子メールの表示に移行させるダミー表示の解除手段として、顔認証機能をバックグラウンドで自動的に実行させた。このため、ユーザは、特に操作を行うことなく自動的に本来の電子メールの内容を閲覧することができる。また、携帯電話機１は、バックグラウンドで顔認証処理を実行させる。このため、ユーザは他人にはダミー表示を解除している操作を認識されることがなく、特定の電子メールを表示させない設定がなされていること自体をも隠すことができる。
【０１１０】
また、顔認証を継続して行い許可ユーザと不一致であると判定した時点で自動的にダミー表示に戻るようになっている。このため、ユーザがダミー表示に戻す操作を実行する必要がない。また、ユーザがダミー表示を解除した状態で携帯電話機１を置き忘れた場合や、他人に携帯電話機１を取り上げられた場合においては、操作者と許可ユーザとの不一致を検出し自動的にダミー表示に戻るため、秘匿したい電子メールを見られることがない。
【０１１１】
また、携帯電話機１の内部で電子メールに対するダミーメールを作成し、ダミー表示の切替を管理するため、ユーザの一致・不一致に対して追従性よくダミー表示および解除の切替操作を行うことができる。
【０１１２】
なお、ダミー表示の解除手段として顔認証機能を用いたが、指紋認証機能や所定の操作キー１４やサイドキー２２を介したキー操作などを解除手段として用いてもよい。例えば、指紋認証機能を解除手段として用いた場合には、許可ユーザが指紋認証センサ４８に触れている場合にのみ、ダミー表示を解除するように構成することができる。キー操作を解除手段として用いた場合には、ユーザが任意に設定した操作キー１４やサイドキー２２が押下された場合のみ、バックグラウンドでダミー表示を解除するように構成することができる。この場合、ユーザが任意に設定した二つの操作キー１４を同時に押下した場合にダミー表示を解除するように構成することで、より他人による解除を防止することができる。
【０１１３】
なお、ダミーメールは、電子メールの受信時に、電子メールの本文表示時、電子メール一覧表示時においてそれぞれ生成された。しかし、電子メールの受信などに一度生成されたダミーメールを記憶部４２などの記憶領域に記憶し、電子メールを表示する指示を受け付けた場合には、記憶されたダミーメールに関する情報を読み出すことにより表示を行ってもよい。
【０１１４】
本発明は携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の電子メール機能を備えた通信機器にも適用することができる。
【０１１５】
さらに、本発明の各実施形態において説明した一連の処理は、ソフトウェアにより実行させることもできるが、ハードウェアにより実行させることもできる。
【０１１６】
さらにまた、本実施形態では、フローチャートのステップは記載された順序に沿って時系列的に行われる処理の例を示したが、必ずしも時系列的に処理されなくとも、並列的あるいは個別実行される処理をも含むものである。
【符号の説明】
【０１１７】
１  携帯電話機
１１  ヒンジ部
１２  第一の筐体
１３  第二の筐体
１４  操作キー
１５  数字キー
１６  十字キー
１７  確定キー
１８  メールキー
２０  左ソフトキー
２１  右ソフトキー
２２  サイドキー
２３  メインディスプレイ
２３ａ  確定キー機能表示部
２３ｂ  左ソフトキー機能表示部
２３ｃ  右ソフトキー機能表示部
２４  マイクロフォン
２５  レシーバ
２６  内部ＣＣＤカメラ
２７  外部ＣＣＤカメラ
２８  サブディスプレイ
４１  制御部
４２  記憶部
４８  指紋認証センサ
５１  シークレットアドレス情報項目
５２  ダミー送信者名入力項目
５３  ダミータイトル入力項目
５４  ダミー本文入力項目
５５  自動／手動選択項目
６１  送信者名一覧表示領域
６２  タイトル表示領域
６３  カーソル
【図１】
2010165253.tif 000003
【図２】
2010165253.tif 000004
【図３】
2010165253.tif 000005
【図４】
2010165253.tif 000006
【図５】
2010165253.tif 000007
【図６】
2010165253.tif 000008
【図７】
2010165253.tif 000009
【図８】
2010165253.tif 000010
【図９】
2010165253.tif 000011
【図１０】
2010165253.tif 000012
【図１１】
2010165253.tif 000013
【図１２】
2010165253.tif 000014
【図１３】
2010165253.tif 000015
【図１４】
2010165253.tif 000016
【図１５】
2010165253.tif 000017